(57)【要約】  【課題】  静止画のビデオデータとオーディオデータから構成されるデータを再生中に停止させた場合に、レジューム位置にビデオデータが無くても、レジューム位置から静止画と共にオーディオデータを再生することができる光ディスク再生装置を提供する。  【解決手段】  再生を停止させると、レジューム位置のナビゲーション・パックのアドレスと、ビデオ有りのナビゲーション・パックのアドレスとを取得する。そして、両アドレスが一致しない場合は、先ず、ビデオ有りのナビゲーション・パックのアドレスのビデオデータを再生して静止画をディスプレイ装置に表示させ、その後、再生対象のアドレスをビデオ有りのナビゲーション・パックのアドレスからレジューム位置に有るナビゲーション・パックのアドレスに置き換え、置き換えられたアドレスに有るオーディオデータから再生が行われる。【選択図】      図３
2006099822.tif 000002
【特許請求の範囲】
【請求項１】
光ディスクに記録された情報を再生する光ディスク再生装置において、光ディスクに記
録された静止画のビデオデータとオーディオデータとから構成されるデータの再生を停止
させた時のレジューム情報の確保の際に、レジューム位置のナビゲーション・パックのア
ドレスを取得する第１のアドレス取得手段と、ビデオ有りのナビゲーション・パックのア
ドレスを取得する第２のアドレス取得手段と、前記取得した両アドレスが一致するか否か
を比較するアドレス比較手段と、前記両アドレスが一致しなかったときにビデオ有りのナ
ビゲーション・パックのアドレスのビデオデータを再生して静止画をディスプレイ装置に
表示させるように制御を行うビデオ再生制御手段と、前記静止画を表示させた後に再生対
象のアドレスをビデオ有りのナビゲーション・パックのアドレスからレジューム位置に有
るナビゲーション・パックのアドレスに置き換えるアドレス置換え手段と、前記置き換え
られたレジューム位置に有るナビゲーション・パックのアドレスに有るオーディオデータ
から再生するように制御を行うオーディオ再生制御手段とを有するシステムコントローラ
を備えたことを特徴とする光ディスク再生装置。
【請求項２】
光ディスクに記録された情報を再生する光ディスク再生装置において、光ディスクに記
録された静止画のビデオデータとオーディオデータとから構成されるデータの再生を停止
させた時のレジューム情報の確保の際に、レジューム位置のナビゲーション・パックのア
ドレスと、ビデオ有りのナビゲーション・パックのアドレスとを取得し、両アドレスが一
致しなかったときに、ビデオ有りのナビゲーション・パックのアドレスのビデオデータを
再生して静止画をディスプレイ装置に表示させ、この後、再生対象のアドレスをレジュー
ム位置に有るナビゲーション・パックのアドレスに戻してオーディオデータを再生するよ
うに制御を行うシステムコントローラを備えたことを特徴とする光ディスク再生装置。
【請求項３】
前記システムコントローラは、光ディスクに記録された静止画のビデオデータとオーデ
ィオデータとから構成されるデータの再生を停止させた時のレジューム情報の確保の際に
、レジューム位置のナビゲーション・パックのアドレスを取得する第１のアドレス取得手
段と、ビデオ有りのナビゲーション・パックのアドレスを取得する第２のアドレス取得手
段と、前記取得した両アドレスが一致するか否かを比較するアドレス比較手段と、前記両
アドレスが一致しなかったときにビデオ有りのナビゲーション・パックのアドレスのビデ
オデータを再生して静止画をディスプレイ装置に表示させるように制御を行うビデオ再生
制御手段と、前記静止画を表示させた後に再生対象のアドレスをビデオ有りのナビゲーシ
ョン・パックのアドレスからレジューム位置に有るナビゲーション・パックのアドレスに
置き換えるアドレス置換え手段と、前記置き換えられたレジューム位置に有るナビゲーシ
ョン・パックのアドレスに有るオーディオデータから再生するように制御を行うオーディ
オ再生制御手段とを有することを特徴とする請求項２に記載の光ディスク再生装置。
【発明の詳細な説明】
【技術分野】
【０００１】
本発明は、光ディスクに記録された情報を再生する光ディスク再生装置に関し、特に、
再生中断位置から引き続き再生を行うことが可能なレジューム機能を有する光ディスク再
生装置に関する。
【背景技術】
【０００２】
従来から光ディスク再生装置では、ＤＶＤ（デジタル・バーサタイル・ディスク）など
の大容量の光ディスクの再生を行い、例えば長時間の映画などのソフトディスクの再生に
用いられる。この映画用ソフトディスクでは、通常本偏の情報信号を一つのタイトルとし
、それを複数個のチャプターに区切っている。また、映画用ソフトディスクには、本偏以
外に、セットアップ画面、メニュー画面、製作会社のロゴ画面、コマーシャル画面、著作
権などのお知らせ画面も含まれている。
【０００３】
光ディスク再生装置において、光ディスクを再生している途中でユーザの操作により一
旦再生を停止し、この後、再生を開始した場合には、最初の再生開始状態に戻り、製作会
社のロゴ映像や著作権のお知らせ等の映像が再生された後、本偏の映像が再生される。し
たがって、前回再生停止した箇所から映像を見たい場合には、再生映像を見ながら早送り
を行って、前回再生停止した箇所を探す必要があり、前回再生停止した箇所から映像を見
るためには、多くの操作と時間がかかるという問題がある。
【０００４】
そこで、前回再生停止した箇所を自動的に探し、続きから再生できる所謂レジューム機
能を有する光ディスク再生装置が既に開発され、市場に出回っている。このようなレジュ
ーム機能を有する光ディスク再生装置においては、光ディスクを再生している時に再生が
停止すると、再生停止位置のアドレス情報、再生環境情報、再生開始から再生停止までの
時間、再生停止日時およびディスク固有情報を含むラストメモリ情報がメモリに記憶され
、その後、再び再生が開始されると、前記メモリに記憶されているラストメモリ情報に基
づいて前記再生が停止された箇所から再生を開始する。
【特許文献１】特開２００２−２７９７６６号公報
【特許文献２】特開２００２−２２３４１１号公報
【特許文献３】特開２００２−２５２３５号公報
【発明の開示】
【発明が解決しようとする課題】
【０００５】
ところで、従来の光ディスク再生装置において、例えば、ＤＶＤオーディオ規格で光デ
ィスクに記録された、静止画のビデオデータ、オーディオデータ、静止画のビデオデータ
、オーディオデータというような順に並んだデータ構造を有するデータを再生している途
中で、再生停止させた場合のレジューム処理は次のような処理で行っている。
【０００６】
図４は従来の光ディスク再生装置におけるレジューム処理を説明するためのデータ構造
図である。図４において、Ｖ１は静止画のビデオデータ、Ａ１はビデオデータＶ１に対応
するオーディオデータ、Ｖ２は静止画のビデオデータ、Ａ２はビデオデータＶ２に対応す
るオーディオデータ、Ｖ３は静止画のビデオデータ、Ａ３はビデオデータＶ３に対応する
オーディオデータを示す。ここで、このようなデータを記録した光ディスクを再生してい
るときに位置Ｒで再生を停止させると、Ｒがレジューム位置となり、再び再生を開始させ
ると、静止画のビデオデータＶ２が有る位置まで再生位置を一旦戻し、ビデオデータＶ２
から再生を行っている。
【０００７】
しかしながら、オーディオデータＡ２の再生開始位置は、レジューム位置Ｒではなく、
位置Ｑであるので、ユーザは位置Ｑからレジューム位置Ｒまでのオーディオをもう一度聴
くことになり、したがって、このようなレジューム機能を有する従来の光ディスク再生装
置では、ユーザにとっては使い勝手が劣るという課題があった。
【０００８】
なお、特許文献１の従来技術は、取得できないＤＳＩデータがある場合でも所望のデー
タを確実に再生できるようにしたものであり、静止画のビデオデータとオーディオデータ
とから構成されるデータに対するレジューム再生は開示されていない。特許文献２の従来
技術は、ＤＶＤビデオなどの映像を含むディスクの続き再生時に、ユーザの意思にあった
続き再生を行うことができるようにしたものであり、この従来技術も、静止画のビデオデ
ータとオーディオデータとから構成されるデータに対するレジューム再生は開示されてい
ない。特許文献３の従来技術は、前回停止位置前後から再生することを可能にし、更に、
ダイジェスト再生を実現しているが、この従来技術も、静止画のビデオデータとオーディ
オデータとから構成されるデータに対するレジューム再生は開示されていない。
【０００９】
本発明は、上記のような課題を解決するためになされたもので、静止画のビデオデータ
とオーディオデータとから構成されるデータを再生中に停止させた場合に、レジューム位
置にビデオデータが無くても、ビデオデータの持つ位置を検索し、レジューム位置から静
止画と共にオーディオデータを再生することができる光ディスク再生装置を提供すること
を目的とする。
【課題を解決するための手段】
【００１０】
上記目的を達成するために、請求項１の発明は、光ディスクに記録された静止画のビデ
オデータとオーディオデータとから構成されるデータの再生を停止させた時のレジューム
情報の確保の際に、レジューム位置のナビゲーション・パックのアドレスを取得する第１
のアドレス取得手段と、ビデオ有りのナビゲーション・パックのアドレスを取得する第２
のアドレス取得手段と、前記取得した両アドレスが一致するか否かを比較するアドレス比
較手段と、前記両アドレスが一致しなかったときにビデオ有りのナビゲーション・パック
のアドレスのビデオデータを再生して静止画をディスプレイ装置に表示させるように制御
を行うビデオ再生制御手段と、前記静止画を表示させた後に再生対象のアドレスをビデオ
有りのナビゲーション・パックのアドレスからレジューム位置に有るナビゲーション・パ
ックのアドレスに置き換えるアドレス置換え手段と、前記置き換えられたレジューム位置
に有るナビゲーション・パックのアドレスに有るオーディオデータから再生するように制
御を行うオーディオ再生制御手段とを有するシステムコントローラを備えたことを特徴と
する光ディスク再生装置を提供する。
【００１１】
この構成において、光ディスク１の再生を行っている最中に停止キーを押下して、再生
を停止させると、第１のアドレス取得手段はレジューム位置のナビゲーション・パックの
アドレスを取得し、第２のアドレス取得手段はビデオ有りのナビゲーション・パックのア
ドレスを取得する。そして、アドレス比較手段は、両アドレスが一致するか否かを判定す
る。両アドレスが一致しない場合は、ビデオ再生制御手段は、先ず、ビデオ有りのナビゲ
ーション・パックのアドレスのビデオデータを再生して静止画をディスプレイ装置に表示
する。
【００１２】
次に、アドレス置換え手段は、前記静止画を表示させた後、再生対象のアドレスをビデ
オ有りのナビゲーション・パックのアドレスからレジューム位置に有るナビゲーション・
パックのアドレスに置き換える。そして、オーディオ再生制御手段は、前記置き換えられ
たレジューム位置に有るナビゲーション・パックのアドレスに有るオーディオデータから
再生するように制御を行う。
【００１３】
この構成によれば、静止画のビデオデータとオーディオデータとから構成されるデータ
を再生中に停止させた場合に、レジューム位置にビデオデータが無くても、ビデオデータ
の持つ位置を検索し、レジューム位置から静止画と共にオーディオデータを再生すること
ができる。したがって、ユーザは、静止画を観ながら、再生停止した時点の続きからの音
楽などを聴くことができ、使い勝手が良くなる。
【００１４】
請求項２の発明は、光ディスクに記録された静止画のビデオデータとオーディオデータ
とから構成されるデータの再生を停止させた時のレジューム情報の確保の際に、レジュー
ム位置のナビゲーション・パックのアドレスと、ビデオ有りのナビゲーション・パックの
アドレスとを取得し、両アドレスが一致しなかったときに、ビデオ有りのナビゲーション
・パックのアドレスのビデオデータを再生して静止画をディスプレイ装置に表示させ、こ
の後、再生対象のアドレスをレジューム位置に有るナビゲーション・パックのアドレスに
戻してオーディオデータを再生するように制御を行うシステムコントローラを備えたこと
を特徴とする光ディスク再生装置を提供する。
【００１５】
この構成において、再生を停止させた時、レジューム位置のナビゲーション・パックの
アドレスと、ビデオ有りのナビゲーション・パックのアドレスとを取得し、両アドレスが
一致しなかったときに、ビデオ有りのナビゲーション・パックのアドレスのビデオデータ
を再生して、静止画がディスプレイ装置に表示される。この後、再生対象のアドレスが、
ビデオ有りのナビゲーション・パックのアドレスからレジューム位置に有るナビゲーショ
ン・パックのアドレスに戻され、オーディオデータが再生される。
【００１６】
この構成によれば、静止画のビデオデータとオーディオデータとから構成されるデータ
を再生中に停止させた場合に、レジューム位置にビデオデータが無くても、ビデオデータ
の持つ位置を検索し、レジューム位置から静止画と共にオーディオデータを再生すること
ができる。したがって、ユーザは、静止画を観ながら、再生停止した時点の続きからの音
楽などを聴くことができ、使い勝手が良くなる。
【００１７】
請求項３の発明では、請求項２の発明において、前記システムコントローラは、光ディ
スクに記録された静止画のビデオデータとオーディオデータとから構成されるデータの再
生を停止させた時のレジューム情報の確保の際に、レジューム位置のナビゲーション・パ
ックのアドレスを取得する第１のアドレス取得手段と、ビデオ有りのナビゲーション・パ
ックのアドレスを取得する第２のアドレス取得手段と、前記取得した両アドレスが一致す
るか否かを比較するアドレス比較手段と、前記両アドレスが一致しなかったときにビデオ
有りのナビゲーション・パックのアドレスのビデオデータを再生して静止画をディスプレ
イ装置に表示させるように制御を行うビデオ再生制御手段と、前記静止画を表示させた後
に再生対象のアドレスをビデオ有りのナビゲーション・パックのアドレスからレジューム
位置に有るナビゲーション・パックのアドレスに置き換えるアドレス置換え手段と、前記
置き換えられたレジューム位置に有るナビゲーション・パックのアドレスに有るオーディ
オデータから再生するように制御を行うオーディオ再生制御手段とを有するので、静止画
のビデオデータとオーディオデータとから構成されるデータを再生中に停止させた場合に
、レジューム位置にビデオデータが無くても、ビデオデータの持つ位置を検索し、レジュ
ーム位置から静止画と共にオーディオデータを再生することが可能になる。
【発明の効果】
【００１８】
以上のように本発明によれば、光ディスクに記録された静止画のビデオデータとオーデ
ィオデータとから構成されるデータの再生を停止させた時のレジューム情報の確保の際に
、レジューム位置のナビゲーション・パックのアドレスを取得する第１のアドレス取得手
段と、ビデオ有りのナビゲーション・パックのアドレスを取得する第２のアドレス取得手
段と、前記取得した両アドレスが一致するか否かを比較するアドレス比較手段と、前記両
アドレスが一致しなかったときにビデオ有りのナビゲーション・パックのアドレスのビデ
オデータを再生して静止画をディスプレイ装置に表示させるように制御を行うビデオ再生
制御手段と、前記静止画を表示させた後に再生対象のアドレスをビデオ有りのナビゲーシ
ョン・パックのアドレスからレジューム位置に有るナビゲーション・パックのアドレスに
置き換えるアドレス置換え手段と、前記置き換えられたレジューム位置に有るナビゲーシ
ョン・パックのアドレスに有るオーディオデータから再生するように制御を行うオーディ
オ再生制御手段とを有するシステムコントローラを備えたので、静止画のビデオデータと
オーディオデータとから構成されるデータを再生中に停止させた場合に、レジューム位置
にビデオデータが無くても、ビデオデータの持つ位置を検索し、レジューム位置から静止
画と共にオーディオデータを再生することができる。したがって、ユーザは、静止画を観
ながら、再生停止した時点の続きからの音楽などを聴くことができ、使い勝手が良くなる
。
【００１９】
また、本発明によれば、光ディスクに記録された静止画のビデオデータとオーディオデ
ータとから構成されるデータの再生を停止させた時のレジューム情報の確保の際に、レジ
ューム位置のナビゲーション・パックのアドレスと、ビデオ有りのナビゲーション・パッ
クのアドレスとを取得し、両アドレスが一致しなかったときに、ビデオ有りのナビゲーシ
ョン・パックのアドレスのビデオデータを再生して静止画をディスプレイ装置に表示させ
、この後、再生対象のアドレスをレジューム位置に有るナビゲーション・パックのアドレ
スに戻してオーディオデータを再生するように制御を行うシステムコントローラを備えた
ので、静止画のビデオデータとオーディオデータとから構成されるデータを再生中に停止
させた場合に、レジューム位置にビデオデータが無くても、ビデオデータの持つ位置を検
索し、レジューム位置から静止画と共にオーディオデータを再生することができる。した
がって、ユーザは、静止画を観ながら、再生停止した時点の続きからの音楽などを聴くこ
とができ、使い勝手が良くなる。
【発明を実施するための最良の形態】
【００２０】
以下、添付図面を参照しつつ、本発明の実施の形態について説明する。図１は本発明の
一実施形態に係る光ディスク再生装置の構成を示すブロック図である。この光ディスク再
生装置は、光ディスク１を回転させるスピンドルモータ５と、光ディスク１に記録された
情報を再生するためのレーザ光を出射すると共に光ディスク１からの反射光を受光する光
ピックアップ２と、この光ピックアップ２を光ディスク１の半径方向に移動させるための
スレッド３と、システムコントローラ２２の指示に応じてスピンドルモータ５およびスレ
ッド３を駆動すると共に光ピックアップ２に内蔵された対物レンズ（図示せず）を動かす
ことによりレーザ光の焦点位置を光ディスク１の記録面に対して垂直方向および水平方向
に移動させる制御を行うサーボ制御部４とを備えている。
【００２１】
また、この光ディスク再生装置は、光ディスク１の再生時に光ピックアップ２からの読
取信号であるＲＦ信号を増幅するＲＦアンプ６と、このＲＦアンプ６から出力されたＲＦ
信号をデジタルデータに変換した後に光ディスク１のデータフォーマットに応じた信号復
調処理と誤り訂正処理を行って生成したデータをＲＡＭ７に格納するデジタル信号処理部
８と、システムコントローラ２２の指示に応じてデジタル信号処理部８から出力されたデ
ータストリームの中からオーディオデータとサブピクチャデータとビデオデータとを分離
するストリーム分離部９とを備えている。
【００２２】
また、この光ディスク再生装置は、ストリーム分離部９から出力されたオーディオデー
タを入力して所定のデコード処理を行うオーディオデコーダ１１と、このオーディオデコ
ーダ１１でのデコード処理を行うためにデータを一時的に格納するＲＡＭ１０と、ストリ
ーム分離部９から出力されたサブピクチャデータを入力して所定のデコード処理を行うサ
ブピクチャデコーダ１３と、このサブピクチャデコーダ１３でのデコード処理を行うため
にデータを一時的に格納するＲＡＭ１２と、ストリーム分離部９から出力されたビデオデ
ータを入力して所定のデコード処理を行うビデオデコーダ１５と、このビデオデコーダ１
５でのデコード処理を行うためにデータを一時的に格納するＲＡＭ１４とを備えている。
このビデオデコーダ１５でのデコード処理を行うためにデータを一時的に格納すると共に
静止画データを格納するＲＡＭ１４とを備えている。
【００２３】
また、この光ディスク再生装置は、システムコントローラ２２の指示に応じてビデオデ
コーダ１５から出力されたデータとサブピクチャデコーダ１３から出力されたデータとを
合成するビデオプロセッサ１７と、このビデオプロセッサ１７から出力された合成データ
を表示用のビデオ信号に変換して静止画などをディスプレイ装置２０に表示させるビデオ
エンコーダ１８と、オーディオデコーダ１１から出力されたデータをアナログのオーディ
オ信号に変換して例えばスピーカ１９に供給するＤ／Ａ変換器１６とを備えている。
【００２４】
また、この光ディスク再生装置は、システムコントローラ２２に対して、再生指示を与
えるための再生キーや、再生停止を指示するための停止キーなどの各種操作キーを有する
操作部２１と、装置全体を制御する前記システムコントローラ２２とを備えている。なお
、操作部２１は、リモートコントローラであっても良いし、装置本体の操作パネルに設け
られた操作部であっても良い。
【００２５】
また、この光ディスク再生装置は、装置の各構成要素を制御したり、装置全体を制御し
たりするためのプログラムやデータが記憶されたフラッシュＲＯＭ２３と、このフラッシ
ュＲＯＭ２３のプログラムやデータに従って演算処理を行いシステムコントローラ２２を
制御するＣＰＵ２４とを備えている。
【００２６】
システムコントローラ２２は、本実施形態の特徴とする構成要素として、再生を停止さ
せた時のレジューム情報の確保の際に、レジューム位置のナビゲーション・パックのアド
レスを取得する第１のアドレス取得手段２２１と、ビデオ有りのナビゲーション・パック
のアドレスを取得する第２のアドレス取得手段２２２と、前記取得した両アドレスが一致
するか否かを比較するアドレス比較手段２２３と、前記両アドレスが一致しなかったとき
にビデオ有りのナビゲーション・パックのアドレスのビデオデータを再生して静止画をデ
ィスプレイ装置２０に表示させるように制御を行うビデオ再生制御手段２２４と、前記静
止画を表示させた後に再生対象のアドレスをビデオ有りのナビゲーション・パックのアド
レスからレジューム位置に有るナビゲーション・パックのアドレスに置き換えるアドレス
置換え手段２２５と、前記置き換えられたレジューム位置に有るナビゲーション・パック
のアドレスに有るオーディオデータから再生するように制御を行うオーディオ再生制御手
段２２６とを有する。
【００２７】
この光ディスク再生装置により再生されるＤＶＤオーディオのデータ構造は次のように
なっている。
【００２８】
ＤＶＤオーディオのデータ構造において、ビデオ・オブジェクト・セット（ＶＯＢＳ）
は複数のビデオ・オブジェクト（ＶＯＢ）から構成され、各ビデオ・オブジェクト（ＶＯ
Ｂ）は複数のセルから構成されている。各ビデオ・オブジェクト・ユニット（ＶＯＢＵ）
は、ナビゲーション・パック（ＮＶ＿ＰＣＫ）、ビデオ・パック（Ｖ＿ＰＣＫ）、および
オーディオ・パック（Ａ＿ＰＣＫ）を含み構成される。ナビゲーション・パック（ＮＶ＿
ＰＣＫ）およびオーディオ・パック（Ａ＿ＰＣＫ）は、パック・ヘッダー、システム・ヘ
ッダー、パケット・ヘッダー、プレイ・コントロール情報データ、およびデータサーチ情
報（ＤＳＩ）を含み構成される。
【００２９】
前記データサーチ情報（ＤＳＩ）は、データサーチ情報ジェネラル情報、ビデオ・オブ
ジェクト・ユニット・サーチ情報、同期情報、およびリザーブドを含み構成される。前記
ビデオ・オブジェクト・ユニット・サーチ情報は、ビデオのフォワード情報と、データ領
域と、ビデオのバックワード情報（ＢＷＤＩ＿Ｖｉｄｅｏ）とから構成される。ビデオの
フォワード情報は、ビデオ・ストリーム（ナビゲーション・パックのスタート・アドレス
）においての次のビデオ・オブジェクト・ユニット（ＶＯＢＵ）のスタートアドレスを示
す。ビデオのバックワード情報（ＢＷＤＩ＿Ｖｉｄｅｏ）は、ビデオ・ストリーム（ナビ
ゲーション・パックのスタートアドレス）においての以前のビデオ・オブジェクト・ユニ
ット（ＶＯＢＵ）のスタートアドレスを示す。
【００３０】
図２は本実施形態におけるレジューム処理を説明するためのデータ構造図である。図２
において、Ｖ１は静止画のビデオデータ、Ａ１はビデオデータＶ１に対応するオーディオ
データ、Ｖ２は静止画のビデオデータ、Ａ２はビデオデータＶ２に対応するオーディオデ
ータ、Ｖ３は静止画のビデオデータ、Ａ３はビデオデータＶ３に対応するオーディオデー
タを示す。ここで、このようなデータを記録した光ディスクを再生しているときに位置Ｒ
で再生を停止させると、Ｒがレジューム位置となり、再び再生を開始させると、オーディ
オデータＡ２がレジューム位置Ｒから再生される。そして、この時、静止画はビデオデー
タＶ２によるものが再生される。このようなレジューム処理は、次に示すフローチャート
に従って行われる。
【００３１】
図３は本実施形態のレジューム処理を説明するためのフローチャートである。このフロ
ーチャートを参照してレジューム処理について説明する。
【００３２】
光ディスク１を光ディスク再生装置に挿入し、操作部２１の再生キーを押下して再生を
開始し、再生を行っている最中に停止キーを押下して、再生を停止させると、システムコ
ントローラ２２は再生を停止したことを検出する（ステップＳ１）。これにより、システ
ムコントローラ２２の第１のアドレス取得手段２２１は、レジューム位置のナビゲーショ
ン・パックのアドレスを取得する（ステップＳ２）。例えば、図２に示すように、レジュ
ーム位置Ｒで停止したときのオーディオデータＡ２のアドレスを取得する。
【００３３】
次に、第２のアドレス取得手段２２１は、ビデオ有りのナビゲーション・パックのアド
レスを取得する（ステップＳ３）。例えば、図２に示すように、ビデオデータＶ２のアド
レスを取得する。このアドレスは、前述したデータサーチ情報（ＤＳＩ）のバックワード
情報（ＢＷＤＩ＿Ｖｉｄｅｏ）により取得することができる。この後、アドレス比較手段
２２３は、ステップＳ２で取得したアドレスと、ステップＳ３で取得したアドレスとを比
較して両者が一致するか否かを判定する（ステップＳ４）。
【００３４】
両アドレスが一致する場合は、レジューム位置がビデオ有りのナビゲーション・パック
のアドレスに有ることになるので、レジューム位置に有るビデオデータから順に再生する
（ステップＳ８）。そして、再生が終了すれば（ステップＳ９）、本処理は終える。
【００３５】
両アドレスが一致しない場合は（ステップＳ４）、ビデオ再生制御手段２２４は、先ず
ビデオ有りのナビゲーション・パックのアドレスのビデオデータを再生して静止画をディ
スプレイ装置２０に表示する（ステップＳ５）。ビデオ再生制御手段２２４は、例えば図
２に示すように、ビデオデータＶ２を再生する。
【００３６】
次に、アドレス置換え手段２２５は、前記静止画を表示させた後、再生対象のアドレス
をビデオ有りのナビゲーション・パックのアドレスからレジューム位置に有るナビゲーシ
ョン・パックのアドレスに置き換える（ステップＳ６）。例えば、図２に示すように、ア
ドレスを本来のレジューム位置Ｒのアドレスに戻す。そして、オーディオ再生制御手段２
２６は、前記置き換えられたレジューム位置に有るナビゲーション・パックのアドレスに
有るオーディオデータから再生するように制御を行う（ステップＳ７）。これにより、例
えば、図２に示すように、オーディオデータＡ２はレジューム位置Ｒから再び再生される
。
【００３７】
このような処理により、レジューム位置にビデオデータが無くても、ビデオデータを持
つ位置を検索し、レジューム位置からの静止画およびオーディオの再生を行うことが可能
になる。即ち、ビデオデータが無い位置で停止しても、静止画の再生ができると共に、オ
ーディオデータは正しい位置からのレジューム再生ができる。したがって、ユーザは、静
止画を観ながら、再生停止した時点の続きからの音楽などを聴くことができ、使い勝手が
良くなる。
【図面の簡単な説明】
【００３８】
【図１】本発明の一実施形態に係る光ディスク再生装置の構成を示すブロック図である。
【図２】前記実施形態におけるレジューム処理を説明するためのデータ構造図である。
【図３】前記実施形態のレジューム処理を説明するためのフローチャートである。
【図４】従来の光ディスク再生装置におけるレジューム処理を説明するためのデータ構造図である。
【符号の説明】
【００３９】
１    光ディスク
２０    ディスプレイ装置
２２    システムコントローラ
２２１    第１のアドレス取得手段
２２２    第２のアドレス取得手段
２２３    アドレス比較手段
２２４    ビデオ再生制御手段
２２５    アドレス置換え手段
２２６    オーディオ再生制御手段
【図１】
2006099822.tif 000003
【図２】
2006099822.tif 000004
【図３】
2006099822.tif 000005
【図４】
2006099822.tif 000006